Podtech/llm-jp-corpus-v4-ja_patent huggingface dataset:
(57)【特許請求の範囲】
【請求項１】
津波浸水時などの水が溢れている時に個人の溺水を防止するために、呼吸器官に水が入りにくいように、常に空気の吸い込み口が上部に向いて、マスク内の空気層から空気を吸うように工夫がされた吸水防止マウスを内部に付属させた水中マスク。
【請求項２】
前記請求項１の吸水防止マウスが付属した水中マスクの周辺に圧縮空気の小型タンクを付属させ、丈夫なチューブで繋ぎ込み、ワンボタンで圧縮空気を水中マスク内に補充することによって、津波災害時などの溺水防止機能を強化した水中マスク。
【発明の詳細な説明】
【技術分野】
【０００１】
津波浸水時などに水が溢れていて水面が荒れている状態の中で、個人が呼吸する時に、鼻や口から水を吸い込み難いように工夫された水中マスクに関するものである。
【背景技術】
【０００２】
今までの水中マスクは、呼吸用にシュノーケルのような機能を持つもので、良好な天気の下では安定して呼吸を確保できるが、水面が荒れている場合には水が浸入しやすく、溺水防止に向かなかった。一方、水中で作業をしたり水中散歩を楽しんだりする場合に、強制的に呼吸を確保するには、酸素ボンベを背負って、それを水中マスクに繋いで呼吸を確保することが行われているが、沢山の一般市民が、緊急時に使うには、操作も簡単でなく、準備も必要であることから、適していなかった。
【先行技術文献】
【特許文献】
【０００３】
【特許文献１】特許公開２０１３−９９３８９
【発明の概要】
【発明が解決しようとする課題】
【０００４】
津波浸水時などで、水が溢れていて水面が荒れている状態の中に個人が取り残された時に、溺水に至る一番の原因は、口や鼻から吸水してしまうことである。ライフジャケットは、体を、特に頭部を、水上に浮かび上がらせる効果があり、溺水防止に役立つが、水面が荒れている時は、空気だけを吸うことが難しい。そのような時に、この水中マスクを着用しておけば、顔の周辺まで水が溢れていても、いきなり水中に飲み込まれても、水が呼吸器官へ侵入するのを防止して、空気を優先的に吸うことができ、より個人の溺水を防止することができる。そのような吸水防止の機能を持つ水中マスクを提供することが、当発明が解決しようとする課題である。
【課題を解決するための手段】
【０００５】
水中マスクは、主として口を蓋い、内部に空気層を持たせる。水の侵入を抑える防水タイプで、ゴム材質のバンドなどで顔面に密着させて装着する。鼻孔は、水の浸水を意識して止めることができないので、水中マスクを装着する前に、鼻栓をする。口は、意識して閉められるが、呼吸が苦しくなると開けてしまうので、空気を優先的に取り込む構造を持つ特殊な吸水防止マウスを、水中マスク内側に装備しておき、当該水中マスクの使用者は、水中マスクを装着時に、これを口にくわえて、それ以降の呼吸は、この吸水防止マウスを通して行うようにする。この吸水防止マウスは、内部が2段構造になっており、その１段毎に、体の方向がどの方向に傾いても、空気の吸い込み口が上方向を向くように動作する機構になっており、２段で、３次元のどの方向に傾いても空気を優先的に吸い込める構造になっている。この機構により、当該水中マスクを装着する者は、水中マスク内の空気を優先的に吸うことが確保でき、水中マスク内に大量の水が入ってこない限り、溺水する可能性を大幅に低減できる。水中マスク内に空気を多く保持する方が、呼吸を確保しやすいので、強度上許せる範囲で大きなマスクにする。
水中メガネは、水が溢れている条件下での視界を確保し危険を避けるのに有用なので、併用することが望ましい。これには、個別に一般の水中メガネを使うのが、強度的に弱点が少なくて、実用的であると判断されるが、水中メガネと水中マスク部と一体にするか、丈夫なチューブで繋ぐことにより、マスク内の空気を多く確保し、溺水防止効果を高めることも可能である。
又、水中マスクの両耳側などのスペースに、圧縮空気の入った小さな空気タンクを装着しておき、それを水中マスクと丈夫なチューブで繋いで、いざと言う時に、圧縮空気を水中マスク内にワンボタンで送れるようにしておき、更に確実に、かつ長時間、溺水防止に役立てる。
【発明の効果】
【０００６】
津波浸水時など、水が溢れている環境下で個人の溺水を減少させる。
【図面の簡単な説明】
【０００７】
【図１】図１は、吸水防止式水中マスク装着図である。
【図２】図２は、吸水防止マウスの詳細図である。
【図３】図３は、空気タンク付水中マスク装着図である。
【発明を実施するための形態】
【０００８】
津波浸水被害が想定される地域の個人宅や集合場所に装備しておき、津波浸水が起きた時に着用し、個人の溺水被害を減少させる。
【符号の説明】
【０００９】
１．水中マスク
２．吸水防止マウス
３．圧縮空気タンク
【図１】
0006286637.tif 000002
【図２】
0006286637.tif 000003
【図３】
0006286637.tif 000004
(57)【特許請求の範囲】
【請求項１】
端子台のビスの頭にサイズに対応した、
虫ピンの形のピンの針側を、３本束ねて軸として固定する事により
出来る、頭側の３個の半球状のピンの頭を端子台のビスの頭に押し込み固定する
事を特徴とするピン型クリップ。
【発明の詳細な説明】
【技術分野】
【０００１】
本発明はピン型クリップに関するものである。
【背景技術】
【０００２】
現状では電気、電子の計測作業では殆どがワニ口クリップやそれと同じ様なものが
使用されているが、関連製品が大規模化、小型化が進んでいる中で端子台等が表面
近くに露出しているものは非常に少なく、手がやっと届く下側や、裏側に配置されて
現場での作業が難しくなっている。
【先行技術文献】
【特許文献】
【０００３】
【特許文献１】特開２００９−１２１８３０
【発明の概要】
【発明が解決しようとする課題】
【０００４】
手が届くところであれば、端子台のビスに、計測端子を押し込むだけで固定出来るようにしたい。
【課題を解決するための手段】
【０００５】
端子台のビスの頭にサイズに対応した、
虫ピンの形状のピンの針側を３本束ねて軸として固定する事により出来る、頭側の
３個の半球状のピンの頭を端子台のビスの頭に押し込み固定する。
ビスの頭に合わせてピン型クリップを押付けるとピンの頭の部分を通過した時点でビスの
頭を固定出来る。
【発明の効果】
【０００６】
電圧、抵抗、導通の計測の為に必要な端子との接続、固定がワンタッチで手の
届くところなら簡単にできる様になる。
【図面の簡単な説明】
【０００７】
【図１】図１はピン型クリップの断面図である。
【図２】図２はピン型クリップを端子台のビスに固定した時の図である。
【図３】図３はピン型クリップの角度を変えて固定した時の図である。
【発明を実施するための形態】
【０００８】
本発明の実施形態を図１〜図３に基づいて説明する。
【０００９】
図１はピン型クリップの構造を簡単に示す断面図である。
【００１０】
図２はピン型クリップの３本のピンとビスの関係を現した図である。
【００１１】
図３はピン型クリップの取り付け角度を変えてビスに固定した時の図である。
【実施例】
【００１２】
図２は、本発明の代表図である。
【産業上の利用可能性】
【００１３】
ワンタッチで端子台のビスに固定できる事により、作業効率が上がる。
【符号の説明】
【００１４】
１  虫ピンの形状をしたピン
２  ３本のピンとリード線を束ねた軸
３  リード線
４  ３本のピンとリード線を連結した導通板
５  端子台
６  端子台のビス
７  ３本のピンの向きＡ
８  ３本のピンの向きＢ
９  ３本のピンの向きＣ
【要約】      （修正有）【課題】手が届くところであれば、ワンタッチで端子台のビスに固定できるクリップを提供する。【解決手段】虫ピンの形状をしたピン１と、３本のピンとリード線３を束ねた軸２と、リード線３とから成り、３本のピンとリード線３を束ねた軸２を、半球の形状をしたビスの頭に押し込むと、虫ピンの形状をした３本のピン１が半球の形状の部分を通過したところで半球の傘の部分で支えられることにより、押し込むだけで3か所の傘の裏側になる面で固定される。【選択図】図２【図１】
0006421287.tif 000002
【図２】
0006421287.tif 000003
【図３】
0006421287.tif 000004
(57)【特許請求の範囲】
【請求項１】
水素発生装置の水素発生量制御システムであって、
水素を発生させる反応器を複数備え、
前記各反応器は水素の発生量の検出手段を有し、
一の反応器で発生する水素量の低減時間を予測し、他の反応器の稼働準備を開始することで水素発生装置全体の水素発生量を制御するものであり、
前記反応器は、アルカリ性水溶液の入った反応液タンクに配管連結されており、
前記反応器内に発生した水素圧と、前記反応器内の水位よりも高い位置にある前記反応液タンク内のアルカリ性水溶液の水位との水位差圧により、前記アルカリ性水溶液の前記反応器への供給量が自動制御されていることを特徴とする水素発生量制御システム。
【発明の詳細な説明】
【技術分野】
【０００１】
本発明は、水素を負極活物質とする燃料電池等に供給する水素量の制御システムに関する。
【背景技術】
【０００２】
水素と空気中の酸素との反応により電力を取り出す燃料電池は、水素の供給により連続的に電力を取り出すことができるとともに反応後に生じる物質は水であり、クリーンな発電方法として注目されている。
特許文献１には、アルミとアルカリ性水溶液とを反応させて水素を発生させる装置を開示する。
同公報は、反応容器内の水素圧を利用してアルカリ性水溶液の供給量を制御したものであるが、アルミが反応して消耗すると水素圧が変化し、さらに連続的に安定して水素の供給が可能になるように改善したのが本発明である。
【先行技術文献】
【特許文献】
【０００３】
【特許文献１】特開２０１４−８８２８０号公報
【発明の概要】
【発明が解決しようとする課題】
【０００４】
本発明は、安定して水素の供給が可能な水素発生量制御システムの提供を目的とする。
【課題を解決するための手段】
【０００５】
本発明に係る水素発生量制御システムは、水素発生装置の水素発生量制御システムであって、水素を発生させる反応器を複数備え、前記各反応器は水素の発生量の検出手段を有し、一の反応器で発生する水素量の低減時間を予測し、他の反応器の稼働準備を開始することで水素発生装置全体の水素発生量を制御することを特徴とする。
ここで、反応器はアルミニウム又はその合金とアルカリ性水溶液とを反応させることで水素を発生させるものであり、アルカリ性水溶液の供給量を制御することで水素発生量を制御するものであることが好ましい。
本発明で水素量の低減時間とは、反応が弱くなり反応器の中の副生成物を取り除く必要が生じるタイミングをいう。
【０００６】
反応器内にアルミニウム又はその合金を投入しアルカリ性水溶液を供給すると、その反応により水素が発生する。
この場合にアルミの入った反応器とアルカリ性水溶液が貯留されている反応液タンクとを配管で連結し、アルカリ性水溶液の水位を反応器の内側底面より高くすると、その水圧を利用して簡便に反応器にアルカリ性水溶液を供給できる。
この際に反応器中の水素圧が上昇すると、その圧力と反応液の水位圧差によりアルカリ性水溶液の供給量が自動制御される。
【０００７】
この場合にあっても反応器中のアルミが反応により消耗すると、それに合せてアルカリ性水溶液の供給をストップさせる必要があるとともにアルミが反応し、発生した副生成物を回収する必要があるため、この間水素の発生量が不安定になったり、中止せざるを得なくなる。
そこで本発明は、複数の反応器を設けることで一の反応器から副生成物を回収している間は、他の反応器を用いて水素を発生させることで装置全体として安定して水素を発生させることができるようにしたものである。
【発明の効果】
【０００８】
本発明は、複数の反応器を設け、それらを相互に又は順次使用することで燃料電池等に安定して水素を供給することができる。
【図面の簡単な説明】
【０００９】
【図１】本発明に係る制御システムの構成例を示す。
【発明を実施するための形態】
【００１０】
本発明に係る水素発生量制御システムの構成例を図１に示す。
本実施例では反応器が２つの例を示すが、２つ以上であれば数に制限はない。
第１反応器１１と第２反応器１２とに、アルカリ性水溶液を供給するために設けたアルカリ性水溶液を貯留した反応液タンク１とを配管接続してある。
反応液タンク１に貯留されているアルカリ性水溶液の水位が第１及び第２反応器１１，１２の内部底面よりも高位になっている。
第１反応器１１と反応液タンク１との配管途中には、ソレノイドバルブ１１ｂを有し、第２反応器１２と反応液タンク１との配管途中には、ソレノイドバルブ１２ｂを有する。
本実施例では、第１，第２反応器及び反応液タンク１を密閉制御可能になっていて、ソレノイドバルブ１ａにより、反応器の水素圧と反応液タンク１の上部空間のエアー圧との圧力差の制御が可能になっている。
第１，第２反応器１１，１２の底部から副生成物を取り出す回収容器１３，１４を設け、また冷却水タンク３とポンプ３Ｐにて配管し、冷却水の循環制御が可能になっている。
【００１１】
第１，第２反応器１１，１２には、それぞれ水素圧の検知手段１１ｃ，１２ｃを有し、発生水素量が検出できるようになっている。
アルカリ性水溶液は、ｐＨ１３以上の水酸化ナトリウム，水酸化カリウム等の水溶液がよい。
また、本実施例ではアルミとアルカリ性水溶液の反応性向上を目的に触媒タンク２からポンプ２Ｐ等で触媒の水溶液を反応液タンク１に投入する例になっている。
例えば、Ｆｅ２（ＳＯ４）３，ＦｅＣｌ３，Ｆｅ（ＮＨ４）（ＳＯ４）２，ＭｇＣｌ２等の触媒を加えると反応性が高くなる。
【００１２】
例えば、まず第１反応器１１を用いて、この第１反応器１１に所定量のアルミを投入し、反応液タンク１から水位差でアルカリ性水溶液を第１反応器１１に送り込む。
すると、化学反応により水素が発生し、その圧力を検知手段１１ｃにて計測する。
発生した水素は、配管１１ａによりウォータートラップ容器２１，バッファ容器２２を経由し、乾燥容器２３にて水分を除去後にソレノイドバルブ３０ａを介して、例えば燃料電池３０に供給される。
【００１３】
第１反応器から発生する水素圧変化を検出し、反応終了が近付くと今度は第２反応器にアルミを投入し、反応液１からアルカリ性水溶液を供給し、燃料電池に供給される水素量が一定の範囲になるように第２反応器を稼働させる。
第２反応器１２にて発生した水素は、配管１２ａを介してバルブ切り替えにより燃料電池に供給される。
第１反応器の反応が終了すると、第２反応器が稼働している間に副生成物を回収容器１３に取り出し、新しいアルミを第１反応器に投入し、準備を完了する。
このように反応器を複数設けると共に水素発生量を検知できるようにしたので、水素の発生及び供給量が安定する。
【００１４】
本発明に用いるアルミに制限はないが、アルミがラミネート又は蒸着されている廃包装材を回収し、アルミ原料に用いてもよい。
【符号の説明】
【００１５】
１        反応液タンク
２        触媒タンク
３        冷却水タンク
１１      第１反応器
１２      第２反応器
３０      燃料電池
【図１】
0006382038.tif 000002
(57)【特許請求の範囲】
【請求項１】
溶接されたリングを作成する方法であって、前記リングの周囲に対応する長さを有するバンドを、前記リングを形成するように曲げ、且つ、前記バンドの端部にて溶接し、前記溶接が、リングの両側縁部から、外側から内側に行われる前記方法において、
互いに溶接されるべき前記バンド端部が、前記リングの周方向においてオフセット部を有し、前記溶接が、前記リングの両側縁部から前記オフセット部まで行われることを特徴とする、前記方法。
【請求項２】
前記オフセット部が段状部として形成され、当該段状部において、一方のバンド端部から突出している部分が他方のバンド端部における凹部に対向している、請求項１に記載の方法。
【請求項３】
前記オフセット部が、一方のバンド端部の、当該バンドの面に延在する凹部として形成され、且つ、他方のバンド端部上の凸部に相補的に係合する、請求項１に記載の方法。
【請求項４】
前記オフセットが前記バンドの幅の中間位置に設けられる、請求項１乃至３に記載の方法。
【発明の詳細な説明】
【背景技術】
【０００１】
リング、いわゆるマルチクリンプリングは、様々な方法で製造される。１つの公知の方法において、軸方向又は螺旋状に溶接された管を所望の幅のリングに分割し、次いで、それらの管をバリ取りする。この公知の方法の欠点は、要求される最小生産量がコストの関係で多く、これに相応して、直径が異なる場合に融通性が低く、管素材の在庫管理がコスト高なことである。
【０００２】
別の製造方法において、バリ取りしたバンドから、リング直径に対応する長さを有するセクションを切り取り、真直ライン又は傾斜ラインに沿って切開し、セクションの端部を互いに溶接する。
【０００３】
特許文献１は、両端を突合せて溶接したバンドからつくられた止めカラーを開示している。
【０００４】
バンド端部を溶接する場合、溶接プロセスの開始時には、リングの縁部と面一の溶接を行うことができる。しかし、リングの他縁部での溶接終端においては、この縁部と面一でない形状が生じる。
【０００５】
突合せ溶接(butt-welding)において、曲げ加工したワークピースを２部分溶接により溶接することが、特許文献２から公知である。この溶接は、ワークピースの外側リムにおけるノッチを回避するために、外側端部から開始して中央領域にて互いに重なり合う。
【先行技術文献】
【特許文献】
【０００６】
【特許文献１】米国特許出願公開第２０１２／００６１７６号明細書
【特許文献２】欧州特許出願公開第１７５２２４７号明細書
【発明の概要】
【発明が解決しようとする課題】
【０００７】
本発明は、溶接リングを製造する同等の方法により生じるような欠点の少なくとも一部を回避する一般的な目的に関する。より具体的な目的は、溶接継ぎ目を可能な限り均一な状態にして溶接リングを作成し得る方法を提供することであろう。
【課題を解決するための手段】
【０００８】
この目的は、互いに溶接されるバンド端部にオフセット部を、前記リングの周方向において設け、そして溶接を、前記リングの両側縁から、外側から内側に向かって前記オフセット部まで行うことにより、首尾よく解決される。これにより、前記リングの両縁にてフラッシュ溶接が形成される。オフセット部を設けることで、２つの溶接継ぎ目の重なりにより前記リング中央にて流出する溶融物の影響が低減し、従って、前記重なり領域において、より高い溶接品質が得られる。
【図面の簡単な説明】
【０００９】
本発明の実施形態を、図面を参照して、以下に、より詳細に説明する。
【００１０】
【図１ａ】環状に曲げられたバンドの突合せ部の溶接前の斜視図である。
【図１ｂ】環状に曲げられたバンドの突合せ部の溶接後の斜視図である。
【図２ａ】代替的な形状の突合せ部を有する、図１ａに類似の図である。
【図２ｂ】代替的な形状の突合せ部を有する、図１ｂに類似の図である。
【発明を実施するための形態】
【００１１】
図１ａにおいて、両方のバンド端部１０，１１が互いに溶接される突合せ部(butt)が、バンドの面に延在する段状部１２の形態のオフセット部（ずらされた部分）を有する。この段状部において、一方のバンド端１０の凸部１３が他方のバンド端１１の凹部１４に対向している。この段状部は、バンドの両縁１５，１６の中間に形成されている。
【００１２】
溶接プロセスにおいて、溶接が、バンド両縁１５，１６から段状部１２まで行われる。オフセットのおかげで、両溶接継ぎ目１７，１８のそれぞれの位置における重なり領域にて、より高品質の溶接が達成される。オフセット部の大きさは、当接している両バンド端部１０，１１間の制御された溶接結合がこの場所でも形成されるような大きさである。
【００１３】
もし、２つの溶接継ぎ目１７，１８の重なり位置に中断部（オフセット）が存在しなければ、当接している曲げ端部に溶接パドルが２回形成される。これは、重なり領域の溶接品質を低下させる。オフセットがあることにより、二重溶接パドルが溶接品質に与える影響が少なくなり、溶接の一貫性が増大する。
【００１４】
図２ａ及び図２ｂに示す実施形態は、オフセットが、一方のバンド端部１０の凹部２３、及びこれに係合する他方のバンド端部１１の凸部２４として形成されるという点で、図１ａ及び図１ｂの実施形態とは異なる。
【符号の説明】
【００１５】
１０  バンド端部
１１  バンド端部
１２  段状部
１３  凸部
１４  凹部
１５  バンド縁部
１６  バンド縁部
１７  溶接継ぎ目
１８  溶接継ぎ目
２３  バンド端部の凹部
２４  バンド端部の凸部
【図１ａ】
0006382455.tif 000002
【図１ｂ】
0006382455.tif 000003
【図２ａ】
0006382455.tif 000004
【図２ｂ】
0006382455.tif 000005
(57)【特許請求の範囲】
【請求項１】
複数の駒を載せる長方形の台の下面、長手方向の端近傍に、長手方行に直角で台上面と平行な溝を設けて、長方体の長手方向一端部が斜面状となっている駒であって、当該斜面は、前記直方体の長手方向に平行な２つの側面が、当該側面と直行する方向から見たとき、長方形の長手方向の一端を斜面状とした形状とされることで形成されている駒を、該溝に当該駒の斜面を密着、嵌合させることにより駒を垂直に立たせ、溝から遠方の他端を支点にして台を斜めに架設できる構成にした台と駒から成るドミノ倒し用具。
【請求項２】
台上面に駒を等間隔に並べる位置に印を設けた請求項１記載のドミノ倒し用具。
【発明の詳細な説明】
【技術分野】
【０００１】  本発明は、ドミノの台とその上に並べられるドミノの駒から成るドミノ倒し用具に関するものである。
【背景技術】
【０００２】  従来より、ドミノ倒しは、基本的に駒を平面上にほぼ等間隔に並べて行うゲームであり、平坦な面が必要になる。また駒を上下行させるには階段状のステップをもった台に駒を並べることになる。
【先行技術文献】
【特許文献】
【０００３】
【特許文献１】特開平１１−２０７０２５号公報
【特許文献２】特開２００４−１３６０５１号公報
【発明の概要】
【発明が解決しようとする課題】
【０００４】  上記特許文献に見られるように、台の上に駒を並べるもので平坦な場所にこだわらずゲームをすることはできるが、駒を斜め上下行することには全く考慮されていない。本発明はこの欠点を解決し、平坦な場所は勿論、斜め上下行も可能なドミノ倒し用具を提供するものである。
【課題を解決するための手段】
【０００５】  下面に溝を持ち、上面には駒を並べる位置決めにする小穴のマークをもった長方形の台と、長方形長手方向の一端が斜めにカットされた斜面をもつ駒とから成るドミノ倒し用具である。
【発明の効果】
【０００６】  平面に駒を並べる場合は、台の上面の小穴のマークの位置に駒の斜面端を上にして並べる。【０００７】  駒を斜めに上下行させる場合は、台の溝に駒の斜面端を合わせて該駒を垂直に立たせて台を斜めに構成する。この傾斜台に駒を並べるには、台の小穴マーク位置に駒の斜面端を下にして、垂直に立てることができる。【０００８】  台と一種類の駒のみで、絨毯の上や砂地の野外でも平面の並びは勿論、傾斜の上下行の並びをすることができる。
【図面の簡単な説明】
【０００９】
【図１】図１は台１の外観図である。
【図２】図２は駒４の外観図である。
【図３】図３は台１を傾斜させた一部の拡大側面図である。
【図４】図４は連結図その１である。
【図５】図５は連結図その２である。
【発明を実施するための形態】
【００１０】  本発明の実施の形態を、図面を参照して詳述する。図１は台１の外観図である。上面には長方形の長手方向に，駒４を並べる位置を示す等間隔の小穴２を設ける。下面には長手方向一端の近くに長手方に直角で上面に平行な通しの溝３を設ける。
【００１１】  図２は駒４の外観図である。長方形で長手方向の一端は斜めにカットされて斜面５になっている。その側面図は図３に示す。
【００１２】  図３は台１を斜めに設置した一部分の拡大側面図である。全体の設置図は図５の傾斜上下行並べ７に示す。台１の溝３に駒４の斜面５を合わせると駒４は垂直になるように斜面５の傾斜角と溝３の位置関係を決める。このようにして台１は安定して斜めに設置される。この台の上面に並べる駒４は斜面５を下にして垂直に立てることができる。
【００１３】  図４は連結図その１で、平面図を示す。台１の並べ方は、厳密さは必要なく、曲りや二股分岐することができる。
【００１４】  図５は連結図その２で側面図を示す。平面並べ６、傾斜上下行並べ７、そして傾斜上下行の両端に台を載せた橋架け並べ８ができる。
【符号の説明】
【００１５】１    台
２    小穴
３    溝
４    駒
５    斜面
６    平面並べ
７    傾斜上下行並べ
８    橋架け並べ
【図１】
0006256854.tif 000002
【図２】
0006256854.tif 000003
【図３】
0006256854.tif 000004
【図４】
0006256854.tif 000005
【図５】
0006256854.tif 000006